(57)【要約】 【課題】  実装機の吸着パッドが電子部品を吸着した状態で、容易に、確実に電子部品の位置ずれや逆極性を検出することが出来るチップ型電子部品及びその識別方法を提供すること。【解決手段】  チップ型電子部品において、上面及び側面または下面（プリント基板実装面側）に極性５が表示してあることを特徴とするチップ型電子部品１、または上面及び下面に中心点７または位置識別線８が表示してあることを特徴とするチップ型電子部品１が得られ、更に、プリント基板にチップ型電子部品を実装する方法において、部品実装機の吸着パッドでチップ型電子部品１の上面を吸着し、チップ型電子部品の側面または下面の表示を検出することでチップ型電子部品の極性５や部品位置、及び向きを認識する方法を特徴とするチップ型電子部品の識別方法。【選択図】  図１
2005064423.tif 000002
【特許請求の範囲】
【請求項１】
上面に極性が表示してあるとともに、側面または下面（プリント基板実装面側）の少なくともいずれかに極性が表示してあることを特徴とするチップ型電子部品。
【請求項２】
下面（プリント基板実装面側）に中心点または位置識別線が表示してあることを特徴とするチップ型電子部品。
【請求項３】
プリント基板に実装するときのチップ型電子部品の識別方法において、部品実装機の吸着パッドでチップ型電子部品の上面を吸着し、チップ型電子部品の側面または下面（プリント基板実装面側）の表示を検出することでチップ型電子部品の極性や部品位置、及び向きを認識することを特徴とするチップ型電子部品の識別方法。
【発明の詳細な説明】
【技術分野】
【０００１】
本発明は、チップ型電子部品に関し、特に表面に表示を設けたチップ型電子部品及びその識別方法に関する。
【背景技術】
【０００２】
従来、チップ型セラミックコンデンサやチップ型抵抗器等のチップ型電子部品は、その上面（プリント基板実装面の反対側）にのみ容量値や抵抗値、定格電圧等の表示が設けられ、プリント基板に実装の前後で前記チップ型電子部品の上面の表示を画像認識等の検査装置で検査し、部品の間違いが無いことを確認しているのが一般的である。
【０００３】
また、チップ型タンタル電解コンデンサやチップ型フィルム電解コンデンサ等の有極性のチップ型電子部品は、プリント基板等に実装されたとき、実装状態で部品配置や極性を確認できるように、上面のみに極性表示が設けられ、プリント基板に実装の前後で前記チップ型電子部品の上面の表示を画像認識等の検査装置で検査し、極性の間違いが無いことを確認しているのが一般的である。
【０００４】
更に、チップ型電子部品の中心点や、位置識別線についても同様に、上面のみに表示が設けられ、プリント基板に実装の後に前記チップ型電子部品の上面の表示を画像認識等の検査装置で検査し、実装部品の位置ずれが無いかどうかを確認しているのが一般的である。
【０００５】
チップ型電子部品の供給は、テーピングの形態が多く採られ、実装機の吸着パッドがテーピングの部品上面に吸い付き、電子部品を取り出し、基板に実装する。この際、極めて稀な現象ではあるが、テーピングエンボスの変形、トップテープの剥がれ不良、電子部品の傾き等の影響により、テーピングからの位置がずれて吸着パッドが部品上面に吸い付き、プリント基板上の正規の位置からずれて電子部品が実装される場合が有る。このような場合、電子部品の電極とプリント基板上のランド電極の位置がずれてしまい、ランド電極と電子部品の電極が接続不良となり、電子部品が機能しないという問題点がある。
【０００６】
また、有極性チップ型電子部品の供給は、極性を同一方向に揃えて整列したテーピングの形態が採られ、実装機の吸着パッドがテーピングの部品上面に吸い付き、電子部品を取り出し、基板に実装する。この際、極めて稀な現象ではあるが、電子部品が反転し、極性が逆になることがある。逆極性の状態で基板に実装された有極性チップ型電子部品に通電した場合、有極性のチップ型電子部品が発熱し、電子部品としての機能を損なう恐れがあるという問題点がある。
【０００７】
テーピングの中で電子部品の位置を強制的に修正する方法としては、外部磁場や重力を利用したものがある。（例えば、特許文献１参照）しかし、テーピングエンボスの変形やトップテープの剥がれ不良により、実装機の吸着パッドに吸着する直前の電子部品の極性反転や位置ずれはこの方法では解決できない。
【０００８】
更に、電子部品をプリント基板に実装後に、基板を撮像装置を用いて画像処理し、半田の有無や電子部品の位置ずれを検査する方法もある。（例えば、特許文献２参照）しかし、この検査方法では、撮像装置や高度な画像処理装置を用いるために、装置が大かがりになり、また、装置が高価であるという問題点がある。
【０００９】
【特許文献１】特開２００３−１２１３６９号  公報
【特許文献２】特開平６−１６００３５号  公報
【発明の開示】
【発明が解決しようとする課題】
【００１０】
実装機の吸着パッドが電子部品を吸着した状態では、部品上面が吸着パッドで隠れるため、部品上面のみの表示では部品の位置ずれや逆極性を検出できない。また、実装機の吸着パッドで吸着した部品の位置は、画像処理装置により検出しているが、画像処理装置で部品を識別するためには、それぞれの部品について、部品下面・側面方向からの外形や端子形状を個々に画像処理装置に入力・識別させる必要があり、多大な工数がかかる。
【００１１】
そこで、本発明は、実装機の吸着パッドが電子部品を吸着した状態で、容易に、確実に電子部品の位置ずれや逆極性を検出することが出来るチップ型電子部品及びその識別方法を提供することを目的とするものである。
【課題を解決するための手段】
【００１２】
本発明によれば、上面に極性が表示してあるとともに、側面または下面（プリント基板実装面側）の少なくともいずれかに極性が表示してあることを特徴とするチップ型電子部品が得られる。また、本発明によれば、下面に中心点または位置識別線が表示してあることを特徴とするチップ型電子部品が得られる。さらに、本発明によれば、プリント基板に実装するときのチップ型電子部品の識別方法において、部品実装機の吸着パッドでチップ型電子部品の上面を吸着し、チップ型電子部品の側面または下面の表示を検出することでチップ型電子部品の極性や部品位置、及び向きを認識することを特徴とするチップ型電子部品の識別方法が得られる。
【発明の効果】
【００１３】
上述したように、本発明のチップ型電子部品及びその識別方法によれば、表示を部品側面または下面にも付加することにより、実装機の吸着パッドが電子部品を吸着した状態で、画像認識装置で部品側面または下面の表示を読み取ることで、チップ型電子部品の極性、位置ずれを容易に確実に識別識別することが出来る。また、本発明は、有極性チップ部品、チップ型電子部品に限らず、複合電子部品などにも応用できることは当然である。
【発明を実施するための最良の形態】
【００１４】
以下、本発明の実施の形態を図１〜図３に基づいて説明する。
【００１５】
図１は、上面及び側面及び下面に極性５を表示した有極性のチップ型電子部品１である。図１（ａ）は上面図、図１（ｂ）は正面図、図１（ｃ）は底面（プリント基板実装面側）図をそれぞれ示す。図１において、陽極リード端子２の近傍のモールド樹脂４の上に陽極の極性５が設けられている。極性５の表示はインク捺印機やレーザー捺印機等を用い、有極性のチップ型電子部品１の特定の極性側に、その先端から製品寸法の１／３〜１／４程度の幅まで表示した。図１では、上面及び側面及び下面に極性５を表示した有極性のチップ型電子部品１を示したが、実装機の吸着パッドにチップ型電子部品を吸着した状態で、画像認識装置で極性を検査するためには、極性５の表示はチップ型電子部品１の側面または下面の何れかに設けても良い。
【００１６】
図２及び図３は、下面に中心点７や、位置識別線８を部品下面に設けたチップ型電子部品１の底面図である。中心点７や、位置識別線８はインク捺印機、レーザー捺印機等を用いて表示できる。点や線の組み合わせや表示場所を工夫することにより、極性・中心・部品角度等の検出も可能である。また、単純な表記である中心点表示を部品側に付加することにより、部品個々のデータを実装機へ入力・識別させる必要がなくなる利点もある。
【００１７】
更に、中心点表示を画像処理等で識別することにより、吸着エラーしても実装位置の補正が行え、より高密度な実装が可能となり、任意に部品を回転させ実装するような場合、位置識別線表示を画像処理装置で識別することにより、補正が行え、より確実な実装が可能である。
【００１８】
実際にチップ型固体電解コンデンサをプリント基板に実装する工程において、従来、１日に数回の逆極性実装や位置ずれ実装が発生していたが、本発明の表示と識別方法を採用した結果、逆極性実装や位置ずれ実装の発生が１日に１回以下となり、改善の効果が確認された。
【００１９】
以上、本発明の実施の形態を説明したが、本発明は、この実施の形態に限られるものではなく、この発明の要旨を逸脱しない範囲の設計変更があっても、本発明に含まれる。すなわち、当業者であれば、なしえるであろう各種変形、修正を含むことはもちろんである。
【図面の簡単な説明】
【００２０】
【図１】本発明に関わる有極性のチップ型電子部品、図１（ａ）は上面図、図１（ｂ）は正面図、図１（ｃ）は底面図。
【図２】下面に中心点を設けたチップ型電子部品の底面図。
【図３】下面に位置識別線を設けたチップ型電子部品の底面図。
【符号の説明】
【００２１】
１    チップ型電子部品
２    陽極リード端子
３    陰極リード端子
４    モールド樹脂
５    極性
６    仕様表示
７    中心点
８    位置識別線
【図１】
2005064423.tif 000003
【図２】
2005064423.tif 000004
【図３】
2005064423.tif 000005